(57)【要約】【目的】ディジタル信号源が選択されていない場合あるいはディジタルオーディオ信号が供給されていない場合でも、他の回路への悪影響を防止する。【解決手段】複数のディジタルオーディオ信号源１４−１〜１４−３が接続され、いずれかのディジタルオーディオ信号源からのディジタルオーディオ信号を選択的に後段に接続されたＤＡコンバータ１３に出力するセレクタ１２において、非選択状態にあるディジタルオーディオ信号源からのディジタルオーディオ信号を終端させる終端回路２１‐１〜２１‐３及びいずれのディジタルオーディオ信号源１４−１〜１４−３も選択されていない場合にＤＡコンバータ１３への信号経路を遮断する信号遮断回路２３を備えた。【選択図】　　　図１
2004127354.tif 000002
【特許請求の範囲】
【請求項１】
複数のディジタルオーディオ信号源が接続され、いずれかの前記ディジタルオーディオ信号源からのディジタルオーディオ信号を選択的に後段に接続されたディジタル／アナログ変換回路に出力するセレクト装置において、
非選択状態にある前記ディジタルオーディオ信号源からの前記ディジタルオーディオ信号を終端させる信号終端部を備えたことを特徴とするセレクト装置。
【請求項２】
請求項１記載のセレクト装置において、
いずれの前記ディジタルオーディオ信号源も選択されていない場合に前記ディジタル／アナログ変換回路への信号経路を遮断する信号遮断部を備えたことを特徴とするセレクト装置。
【請求項３】
入力されたディジタルオーディオ信号のディジタル／アナログ変換をして出力するディジタル／アナログ変換回路と、
複数のディジタルオーディオ信号源が接続され、いずれかの前記ディジタルオーディオ信号源からのディジタルオーディオ信号を選択的に前記ディジタル／アナログ変換回路に出力するセレクト装置と、を備え、
前記セレクト装置は、非選択状態にある前記ディジタルオーディオ信号源からの前記ディジタルオーディオ信号を終端させる信号終端部を備えたことを特徴とするオーディオ装置。
【請求項４】
請求項３記載のオーディオ装置において、
いずれの前記ディジタルオーディオ信号源も選択されていない場合に前記ディジタル／アナログ変換回路への信号経路を遮断する信号遮断部を備えたことを特徴とするオーディオ装置。
【請求項５】
請求項３または請求項４記載のオーディオ装置において、
前記ディジタル／アナログ変換回路への信号経路を遮断するに先だって、前記ディジタル／アナログ変換回路をリセットするリセット部を備えたことを特徴とするオーディオ装置。
【発明の詳細な説明】
【０００１】
【発明の属する技術分野】
本発明は、セレクト装置およびオーディオ装置に係り、特に複数のデジタルオーディオ信号源が接続されるセレクト装置およびオーディオ装置に関する。
【０００２】
【従来の技術】
従来のオーディオシステムにおいては、複数のディジタル源に対してそれぞれ一つのＤＡ変換回路が接続されており、常時ディジタルオーディオ信号が対応するＤＡ変換回路へ供給される構成となっていた。
【０００３】
図３は従来例のオーディオシステムの概要構成ブロック図である。
【０００４】
オーディオシステム５０は、大別すると、セレクタ５１、ＤＡコンバータ５２−１〜５２−３、ディジタルオーディオ信号源５３−１〜５３−３、アナログオーディオ信号源５４を備えている。
【０００５】
セレクタ５１は、ＤＡコンバータ５２−１〜５２−３あるいはアナログオーディオ信号源５４から入力されるアナログオーディオ信号を図示しない操作部を介したユーザの指示に基づいて選択的に出力する。
【０００６】
ＤＡコンバータ５２−１は、ディジタルオーディオ信号源５３−１より出力されたディジタルオーディオ信号のディジタル／アナログ変換をおこなってアナログオーディオ信号としてセレクタ５１に出力する。
【０００７】
ＤＡコンバータ５２−２は、ディジタルオーディオ信号源５３−２　より出力されたディジタルオーディオ信号のディジタル／アナログ変換をおこなってアナログオーディオ信号としてセレクタ５１に出力する。
【０００８】
ＤＡコンバータ５２−３は、ディジタルオーディオ信号源５３−３より出力されたディジタルオーディオ信号のディジタル／アナログ変換をおこなってアナログオーディオ信号としてセレクタ５１に出力する。
【０００９】
ディジタルオーディオ信号源５３‐１〜５３‐３は、例えば、ＷＭＡ、ＭＰ３、ＤＶＤなどであり、対応するデータフォーマットのディジタルオーディオ信号を対応するＤＡコンバータの入力端子に出力する。
【００１０】
アナログオーディオ信号源５４は、たとえば、ラジオ、ＴＶなどでありアナログオーディオ信号を出力する。
【００１１】
【特許文献１】
特開２０００−３３９８７５号公報
【００１２】
【発明が解決しようとする課題】
ところで、上記従来のオーディオシステム５０においては、ディジタルオーディオ信号源５３−１〜５３−３から対応するＤＡコンバータ５２−１〜５２−３にディジタルオーディオ信号が出力されたままの状態であり、セレクタ５１によりアナログオーディオ信号源５４が選択されると、その高周波がアナログオーディオ信号源５４に対しノイズとして悪影響を与えるおそれがあった。
【００１３】
具体的には、供給されつづけているディジタルオーディオ信号がラジオ、ＴＶなどの受信状態を劣化させる場合があった。
【００１４】
この場合において、選択されていないディジタルオーディオ信号源の供給を停止させることも考えられるが、このためには当該ディジタルオーディオ信号源への電源供給を停止し、完全に停止させる必要がある。
【００１５】
このような動作を行う場合には、動作停止をさせたディジタルオーディオ信号源と接続された他の回路とのインターフェース回路においてラッチアップ等の動作異常を引き起こす可能性があるため、その対策回路を設ける必要がある。
【００１６】
また、特許文献１記載の技術においては、ディジタルオーディオ信号の信号ラインにフィルタ手段を設け、アナログ信号源の再生時に与える影響を低減するようにしていたが、必ずしも良好な効果が得られるものではなかった。
【００１７】
そこで、本発明の目的は、ディジタル信号源が選択されていない場合あるいはディジタルオーディオ信号が供給されていない場合でも、他の回路への悪影響を防止することが可能なセレクト装置およびオーディオ装置を提供することにある。
【００１８】
【課題を解決するための手段】
上記課題を解決するため、複数のディジタルオーディオ信号源が接続され、いずれかの前記ディジタルオーディオ信号源からのディジタルオーディオ信号を選択的に後段に接続されたディジタル／アナログ変換回路に出力するセレクト装置において、非選択状態にある前記ディジタルオーディオ信号源からの前記ディジタルオーディオ信号を終端させる信号終端部を備えたことを特徴としている。
【００１９】
この場合において、いずれの前記ディジタルオーディオ信号源も選択されていない場合に前記ディジタル／アナログ変換回路への信号経路を遮断する信号遮断部を備えるようにしてもよい。
【００２０】
また、入力されたディジタルオーディオ信号のディジタル／アナログ変換をして出力するディジタル／アナログ変換回路と、複数のディジタルオーディオ信号源が接続され、いずれかの前記ディジタルオーディオ信号源からのディジタルオーディオ信号を選択的に前記ディジタル／アナログ変換回路に出力するセレクト装置と、を備え、前記セレクト装置は、非選択状態にある前記ディジタルオーディオ信号源からの前記ディジタルオーディオ信号を終端させる信号終端部を備えたことを特徴としている。
【００２１】
この場合において、いずれの前記ディジタルオーディオ信号源も選択されていない場合に前記ディジタル／アナログ変換回路への信号経路を遮断する信号遮断部を備えるようにしてもよい。
【００２２】
また、前記ディジタル／アナログ変換回路への信号経路を遮断するに先だって、前記ディジタル／アナログ変換回路をリセットするリセット部を備えるようにしてもよい。
【００２３】
【発明の実施の形態】
次に本発明の好適な実施の形態について図面を参照して説明する。
【００２４】
図１は実施形態のオーディオシステムの概要構成ブロック図である。
【００２５】
オーディオシステム１０は、大別すると、メインＣＰＵ１１、セレクタ１２、ＤＡコンバータ１３、ディジタルオーディオ信号源１４‐１〜１４‐３、アナログオーディオ信号源１５、操作部１６を備えている。
【００２６】
メインＣＰＵ１１は、オーディオシステム１０全体を制御している。
【００２７】
セレクタ１２は、ディジタルオーディオ信号源１４‐１〜１４‐３から入力されたディジタルオーディオ信号を選択的にＤＡコンバータ１３に出力するとともに、選択されていないディジタルオーディオ信号源の信号ラインを終端する。
【００２８】
ＤＡコンバータ１３は、セレクタ１２により出力されたディジタルオーディオ信号のディジタル／アナログ変換をおこなってアナログオーディオ信号として出力する。
【００２９】
ディジタルオーディオ信号源１４‐１〜１４‐３は、例えば、ＷＭＡ、ＭＰ３、ＤＶＤなどであり、対応するデータフォーマットのディジタルオーディオ信号をセレクタ１２の対応する入力端子に出力する。
【００３０】
アナログオーディオ信号源１５は、たとえば、ＲＡＤＩＯ、ＴＶなどであり、アナログオーディオ信号を出力する。
【００３１】
操作部１６は、ユーザが各種操作を行い、動作指示を行うためのものである。
【００３２】
ここで、セレクタ１２の構成について説明する。
【００３３】
セレクタ１２は、大別すると、終端回路２１‐１〜２１‐３、信号選択スイッチ２２、信号遮断回路２３を備えている。
【００３４】
終端回路２１‐１は、ディジタルオーディオ信号源１４‐１の出力端に接続され、ディジタルオーディオ信号源１４‐１の非選択時にその出力信号を終端する。
【００３５】
終端回路２１‐２は、ディジタルオーディオ信号源１４‐２の出力端に接続され、ディジタルオーディオ信号源１４‐２の非選択時にその出力信号を終端する。
【００３６】
終端回路２１‐３は、ディジタルオーディオ信号源１４‐３の出力端に接続され、ディジタルオーディオ信号源１４‐３の非選択時にその出力信号を終端する。
【００３７】
信号選択スイッチ２２は、メインＣＰＵ１１の制御下でディジタルオーディオ信号源１４‐１〜１４‐３のうちいずれか選択されたディジタルオーディオ信号源を信号遮断回路２３に接続する。
【００３８】
信号遮断回路２３は、メインＣＰＵ１の制御下でいずれかのディジタルオーディオ信号源をＤＡコンバータ１３と導通状態（接続状態）とし、あるいは、すべてのディジタルオーディオ信号源をＤＡコンバータ１３と遮断状態（非接続状態）とする。
【００３９】
次に実施形態の動作について説明する。
【００４０】
図２は実施形態のオーディオシステムの処理フローチャートである。
【００４１】
初期状態においては、信号遮断回路２３は導通状態にあり、ディジタルオーディオ信号源１４−１〜１４−３のうちいずれかのディジタルオーディオ信号源が信号選択スイッチ２２により接続状態にあるものとする。
【００４２】
まず、メインＣＰＵ１１は、操作部１６の操作状態に基づいて現在の動作モードがアナログオーディオ信号源からのアナログオーディオ信号に基づいて再生を行うアナログ音源モードに設定されたか否か判別する（ステップＳ１）。
【００４３】
ステップＳ１の判別において、アナログ音源モードに設定されていない、すなわち、現在の動作モードがディジタルオーディオ信号源１４‐１〜１４‐３のうちいずれかのディジタルオーディオ信号源のディジタルオーディオ信号に基づいて再生を行うディジタル音源モードに設定されているので（ステップＳ１；Ｎｏ）、待機状態となる。
【００４４】
ステップＳ１の判別において、アナログ音源モードに設定された場合には（ステップＳ１；Ｙｅｓ）、メインＣＰＵ１１は、リセット信号ライン３１を介してＤＡコンバータ１３をリセットする（ステップＳ２）。
【００４５】
ここで、ＤＡコンバータ１３をリセットするのは、ＤＡコンバータ１３の通常動作状態で信号遮断回路２３を遮断状態としディジタルオーディオ信号の入力がなくなってしまうと、ＤＡコンバータ１３内で過電流が流れ、ＤＡコンバータ１３が破損する可能性があるからである。
【００４６】
次にメインＣＰＵ１１は、遮断制御信号ライン３２を介して信号遮断回路２３を遮断状態とする（ステップＳ３）。
【００４７】
そして、メインＣＰＵ１１は、操作部１６の操作状態に基づいてディジタル音源モードに設定が変更されたか否かを判別する（ステップＳ４）。
【００４８】
ステップＳ４の判別において、未だディジタル音源モードに設定が変更されていない場合には（ステップＳ４；Ｎｏ）、そのまま待機状態となる。
【００４９】
ステップＳ４の判別において、ディジタル音源モードに設定が変更された場合には、メインＣＰＵ１１は、切換ディジタルオーディオ信号源１４‐１〜１４‐３のうち選択されたいずれかのディジタルオーディオ信号源に対応する信号経路を選択すべく、切換制御信号ライン３３を介して信号選択スイッチ２２を切り換える（ステップＳ５）。
【００５０】
次にメインＣＰＵ１１は、遮断制御信号ライン３２を介して、信号遮断回路２３を導通状態とする（ステップＳ６）。
【００５１】
これにより選択されたディジタルオーディオ信号は、ＤＡコンバータ１３によりＤＡ変換されて、アナログオーディオ信号として出力されることとなる。
【００５２】
以上の説明のように、本実施形態によれば、ディジタルオーディオ信号源が選択されていない場合には、当該ディジタルオーディオ信号源の出力端を終端し、あるいはディジタルオーディオ信号が供給されていない場合には、ディジタルオーディオ信号源はＤＡコンバータへのディジタルオーディオ信号の供給を遮断する。
【００５３】
したがって、アナログオーディオ信号源へのノイズの伝達などの悪影響をなくし、当該アナログオーディオ信号源や他の回路とのインターフェース回路において異常動作を引き起こすことがない。
【００５４】
また、以上の構成によれば、各ディジタルオーディオ信号源毎にＤＡ変換回路を設ける必要がないため、装置製造コストの低減を図ることが可能となる。
【００５５】
さらにディジタルオーディオ信号源が非選択状態であっても、ノイズ等の悪影響を低減するために当該ディジタルオーディオ信号源への電源供給を停止し、完全に動作を停止させる必要がないので、直ちにオーディオ信号源の切換を行うことができ、操作レスポンスを向上させることができる。
【００５６】
【発明の効果】
本発明によれば、ディジタル信号源が選択されていない場合あるいはディジタルオーディオ信号が供給されていない場合でも、アナログオーディオ信号源、特に受信回路などの高周波回路を含む他の回路への悪影響を防止することが可能となる。
【図面の簡単な説明】
【図１】実施形態のオーディオシステムの概要構成ブロック図である。
【図２】実施形態のオーディオシステムの処理フローチャートである。
【図３】従来例のオーディオシステムの概要構成ブロック図である。
【符号の簡単な説明】
１０　オーディオシステム
１１　メインＣＰＵ
１２　セレクタ
１３　ＤＡコンバータ
１４‐１〜１４‐３　　ディジタルオーディオ信号源
１５　アナログオーディオ信号源
１６　操作部
２１‐１〜２１‐３　　終端回路（信号終端部）
２２　信号選択スイッチ
２３　信号遮断回路（信号遮断部）
【図１】
2004127354.tif 000003
【図２】
2004127354.tif 000004
【図３】
2004127354.tif 000005